(57)【要約】【課題】光量の確保とコントラストの向上を同時に実現することが可能な照明装置及びそれを用いたプロジェクターを提供する。【解決手段】本発明の照明装置１は、光を射出する光源１０と、光源１０から射出された光を、光軸Ｌに平行に、かつ、光軸Ｌに対して収束させるように屈折させるズームレンズ２０と、を備えることを特徴とする。【選択図】図１
2010282813.tif 000002
【特許請求の範囲】
【請求項１】
光を射出する光源と、
前記光源から射出された前記光を、光軸に平行に、かつ、該光軸に対して収束させるように屈折させるズームレンズと、
を備えることを特徴とする照明装置。
【請求項２】
前記ズームレンズは、前記光源から前記光が射出される側から順に、前側レンズ群と、前記前側レンズ群の後側焦点の近傍に配置された中間レンズ群と、前記前側レンズ群の後側焦点に前側焦点が重なるように配置された後側レンズ群と、を有し、
前記中間レンズ群は、前記光源から前記光が射出される側から順に、前記光軸に沿って移動可能な、前記光軸に対して前記前側レンズ群により屈折された光を拡散させるように屈折させる第１中間レンズ群と、前記第１中間レンズ群から独立して前記光軸に沿って移動可能な、前記光軸に対して前記第１中間レンズ群により屈折された光を収束させるように屈折させる第２中間レンズ群と、を有していることを特徴とする請求項１に記載の照明装置。
【請求項３】
前記ズームレンズを前記光軸に沿って移動させることにより前記光源から射出された前記光の前記光軸に対する収束の度合を調整する収束調整手段を有していることを特徴とする請求項１または２に記載の照明装置。
【請求項４】
前記収束調整手段が電動モーターを有していることを特徴とする請求項３に記載の照明装置。
【請求項５】
前記ズームレンズの光射出面側に前記光源から射出された前記光の前記光軸に対して直交する面内における輝度分布を均一化させる一対のレンズアレイが設けられていることを特徴とする請求項１〜４のいずれか１項に記載の照明装置。
【請求項６】
請求項１〜５のいずれか１項に記載の照明装置と、
前記照明装置の光射出面側に設けられ、前記照明装置から射出された光を変調して画像を生成する画像表示素子と、
前記画像表示素子の前記照明装置の設けられた側と反対の側に配置され、該画像表示素子により生成された画像を被投射面に投射する投射手段と、
を備えることを特徴とするプロジェクター。
【発明の詳細な説明】
【技術分野】
【０００１】
本発明は、照明装置及びそれを用いたプロジェクターに関するものである。
【背景技術】
【０００２】
従来、液晶プロジェクター等の投射型表示装置（プロジェクター）が知られている。一般に、プロジェクターは、会議、学会、展示会等でのプレゼンテーションやホームシアター等の用途に供される。このような用途において、表示画像のリアリティや迫力を再現する上で、プロジェクターにより投射される画像の高コントラスト化が要求されている。
【０００３】
このような要求に応えるための技術が検討されており、例えば特許文献１では、光源から光が射出される側に、光路中の光量を絞る回動可能な遮光板を有する遮光装置を設けている。これにより、液晶パネルに入射する光の中で特に角度のある光を遮光して光源からの光の直進性を向上させて、液晶パネルに対する入射角を抑えることで液晶の視野角依存性を少なくし、十分なコントラストを得る技術が開示されている。
【先行技術文献】
【特許文献】
【０００４】
【特許文献１】特開２００４−６９９６６号公報
【発明の概要】
【発明が解決しようとする課題】
【０００５】
特許文献１の技術にあっては、光源から光が射出される側に、光路中の光量を絞る遮光装置を設けることで、十分なコントラストを得ることができると考えられるが、以下のように問題点もある。
特許文献１では、光源から射出される光の直進性を向上させる手段として遮光装置を用い、遮光板を回動させることによって、光源から射出される光の一部を遮蔽して光路中の光量を絞っている。具体的には、比較的明るい映像では遮光板を開いて光量のロスを防ぎ、比較的暗い映像では遮光板を閉じて光量を絞ることにより、見かけ上のコントラストを向上させている。このため、明るい映像と暗い映像とが同時に写る映像では光量の確保とコントラストの向上を同時に実現することができない。
【０００６】
本発明はこのような事情に鑑みてなされたものであって、光量の確保とコントラストの向上を同時に実現することが可能な照明装置及びそれを用いたプロジェクターを提供することを目的とする。
【課題を解決するための手段】
【０００７】
上記の課題を解決するため、本発明の照明装置は、光を射出する光源と、前記光源から射出された前記光を、光軸に平行に、かつ、該光軸に対して収束させるように屈折させるズームレンズと、を備えることを特徴とする。
【０００８】
この構成によれば、光源から射出された光を、光軸に平行に、かつ、光軸に対して収束させるように屈折させるズームレンズが設けられている。これにより、光源から射出された光が光軸側に屈折して光軸と平行な光として射出される。このように、光源からの光が光軸に平行に、光軸に対して収束されることにより、高コントラスト化を図ることが可能となる。また、従来遮光していた光を有効利用することで輝度の向上を図ることが可能となる。具体的には、コントラストが必要な映像モードではズームレンズのズーム機能を用いて、光量確保とコントラスト向上を同時に実現できる。一方、コントラストが特に必要とされない映像モードでは、ズームレンズは光源からの入射光を大きく作用せずにそのまま射出させることができる。また、本発明の照明装置には、特許文献１のように光源からの光の一部を遮蔽して光路中の光量を絞る遮光装置が設けられていないので、輝度が低下してしまうことがない。したがって、光量の確保とコントラストの向上を同時に実現することが可能な照明装置が提供できる。
【０００９】
また、上記照明装置においては、前記ズームレンズは、前記光源から前記光が射出される側から順に、前側レンズ群と、前記前側レンズ群の後側焦点の近傍に配置された中間レンズ群と、前記前側レンズ群の後側焦点に前側焦点が重なるように配置された後側レンズ群と、を有し、前記中間レンズ群は、前記光源から前記光が射出される側から順に、前記光軸に沿って移動可能な、前記光軸に対して前記前側レンズ群により屈折された光を拡散させるように屈折させる第１中間レンズ群と、前記第１中間レンズ群から独立して前記光軸に沿って移動可能な、前記光軸に対して前記第１中間レンズ群により屈折された光を収束させるように屈折させる第２中間レンズ群と、を有していてもよい。
【００１０】
この構成によれば、ズームレンズを構成する前側レンズ群の後側焦点と後側レンズ群の前側焦点とが重なり、この位置に中間レンズ群が配置されるので、液晶パネルに入射する光の中で特に角度のある光を、後側レンズ群の後側（光源からの光の射出側）において光軸と平行にすることができる。このように、光源からの光が光軸に平行に、光軸に対して収束されることにより、高コントラスト化を図ることが可能となる。また、中間レンズ群を構成する第１中間レンズ群と第２中間レンズ群とにより、液晶パネルに入射する光の中で特に角度のある光を光軸側に屈折させることができる。このように、従来遮光していた光を有効利用することで輝度の向上を図ることが可能となる。したがって、光量の確保とコントラストの向上を同時に実現することが可能な照明装置が提供できる。
【００１１】
また、上記照明装置においては、前記ズームレンズを前記光軸に沿って移動させることにより前記光源から射出された前記光の前記光軸に対する収束の度合を調整する収束調整手段を有していてもよい。
【００１２】
この構成によれば、観察者は収束調整手段を用いて光源からの光を所望の収束の度合となるようにズームレンズの位置を適宜変更できる。このように、光源からの光が光軸に平行に、観察者の所望の収束の度合に調整されることにより、所望のコントラストを得ることが可能となる。
【００１３】
また、上記照明装置においては、前記収束調整手段が電動モーターを有していてもよい。
【００１４】
この構成によれば、収束調整手段が電動モーターを有しているので、観察者が手動で操作する場合よりも容易に、所望の収束の度合となるように収束調整手段を操作することができる。
【００１５】
また、上記照明装置においては、前記ズームレンズの光射出面側に前記光源から射出された前記光の前記光軸に対して直交する面内における輝度分布を均一化させる一対のレンズアレイが設けられていてもよい。
【００１６】
この構成によれば、一対のレンズアレイによって光源から射出された光の光軸に対して直交する面内における輝度分布が均一化される。したがって、輝度の低下を抑え、さらに輝度分布の均一化した、高コントラスト化を図ることが可能な照明装置が提供できる。
【００１７】
本発明のプロジェクターは、前記構成の照明装置と、前記照明装置の光射出面側に設けられ、前記照明装置から射出された光を変調して画像を生成する画像表示素子と、前記画像表示素子の前記照明装置の設けられた側と反対の側に配置され、該画像表示素子により生成された画像を被投射面に投射する投射手段と、を備えることを特徴とする。
【００１８】
この構成によれば、上記の照明装置を備えているため、光量の確保とコントラストの向上を同時に実現することが可能なプロジェクターが提供できる。
【図面の簡単な説明】
【００１９】
【図１】本発明の照明装置を示す模式図である。
【図２】ズームレンズの構成を示す図である。
【図３】ズームレンズにより光を収束させた状態の照明装置を示す図である。
【図４】本発明の照明装置を具備したプロジェクターを示す模式図である。
【図５】本発明のプロジェクターの他の形態を示す模式図である。
【発明を実施するための形態】
【００２０】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００２１】
（照明装置）
図１は本発明の照明装置１の概略構成を示す模式図である。図１に示すように、照明装置１は、光源１０と、ズームレンズ２０と、収束調整手段４０と、一対のレンズアレイ３１，３２と、を具備して構成されている。
【００２２】
光源１０は、光を射出する高圧水銀ランプ１１ａと、高圧水銀ランプ１１ａから射出された光を反射させるリフレクター１１ｂと、を備えている。高圧水銀ランプ１１ａは、種々の色の色光を含む白色光を射出するランプである。
【００２３】
ズームレンズ２０は、光源１０から光が射出される側に配置されている。ズームレンズ２０は、光源１０から射出された光を、光軸Ｌに平行に、かつ、光軸Ｌに対して収束させるように屈折させる機能を有する。ズームレンズ２０は、光源１０から光が射出される側から順に、前側レンズ群２１と、中間レンズ群２２と、後側レンズ２３と、を備えて構成されている。なお、本図では、レンズ群を構成する複数のレンズの図示を省略している。また、ズームレンズ２０の詳細な構成については後述する（図２参照）。
【００２４】
収束調整手段４０は、中間レンズ群２２（後述する第１中間レンズ群２２１、第２中間レンズ群２２２）を光軸Ｌに沿って移動させることにより、光源１０から射出された光の光軸Ｌに対する収束の度合を調整する機能を有する。例えば、収束調整手段４０は、ズームレンズ２０の近傍に配置されている。また、収束調整手段４０は、ボタン式などの調整機構となっており、観察者が適宜調整できるよう外部に露出されている。
【００２５】
このように、光源１０から射出された光が光軸Ｌ側に屈折して光軸Ｌに平行に、観察者の所望の収束の度合に調整されることにより、高コントラスト化を図ることが可能となる。また、本発明の照明装置１には、特許文献１のように光源からの光の一部を遮蔽して光路中の光量を絞る遮光装置が設けられていないので、輝度が低下してしまうことがない。
【００２６】
また、収束調整手段４０は、その内部に電動モーター（図示略）を有している。このため、観察者が手動で操作する場合よりも容易に、所望の収束の度合となるように収束調整手段４０を操作することができる。
【００２７】
一対のレンズアレイ３１，３２は、ズームレンズ２０から光が射出される側に配置されている。一対のレンズアレイ３１，３２は、ズームレンズ２０から光が射出される側から、第１レンズアレイ３１、第２レンズアレイ３２の順に配置されている。第１レンズアレイ３１は、ズームレンズ２０から光が射出される側から見て矩形状の輪郭を有する小レンズがマトリクス状に配列された構成を有するフライアイレンズである。第２レンズアレイ３２は、第１レンズアレイ３１と同様な構成を有するフライアイレンズであり、小レンズがマトリクス状に配列された構成を有する。これら第１レンズアレイ３１、第２レンズアレイ３２は、光源１０から射出された光の光軸Ｌに対して直交する面内における輝度分布を均一化させる機能を有する。
【００２８】
なお、図示はしないが、これら第１レンズアレイ３１、第２レンズアレイ３２に続けて、均一化された不定偏光状態の光を特定の偏光方向の光に変換する偏光変換素子を設けてもよい。偏光変換素子は、例えばＰＢＳアレイ（偏光ビームスプリッタアレイ）と、１／２波長板とで構成され、ランダム偏光を特定の直線偏光に変換することができる。
【００２９】
図２は、ズームレンズ２０の構成を示す図である。ズームレンズ２０は、光源１０から光が射出される側から順に、前側レンズ群２１と、前側レンズ群２１の後側焦点の近傍に配置された中間レンズ群２２と、前側レンズ群２１の後側焦点に前側焦点が重なるように配置された後側レンズ２３と、を備えている。前側レンズ群２１及び後側レンズ群２３は光軸Ｌ上の所定の位置に固定されており、中間レンズ群２２のレンズは光軸Ｌに沿って移動可能とされている。
【００３０】
このように、前側レンズ群２１の後側焦点と、後側レンズ２３の前側焦点とを一致させ、この位置に絞りを置くと、光源１０から射出された光は、後側レンズ群２３の後側（光源１０からの光の射出側）において光軸Ｌと平行となって両側テレセントリック性を有するようになる。つまり、光源１０から射出された光が光軸側に屈折して光軸Ｌと平行な光として射出される。したがって、光源１０からの光が光軸Ｌに平行に、光軸に対して収束されることにより、高コントラスト化を図ることが可能となる。
【００３１】
なお、ズームレンズ２０は、複数の凸レンズ及び凹レンズを含んで構成されているが、レンズの形状、大きさ、配置間隔及び枚数、テレセントリック性、倍率、結像性能その他のレンズ特性は、要求される特性によって適宜変更され得るものである。
【００３２】
前側レンズ群２１は、３つのレンズ群（以下、光源１０から光が射出される側から順に「第１前側レンズ群２１１」、「第２前側レンズ群２１２」、「第３前側レンズ群２１３」という。）から構成されている。
【００３３】
第１前側レンズ群２１１は、光源１０からの光射出領域を覆う大きさの平凸レンズ１０１のみからなっている。この平凸レンズ１０１は、前側レンズ群２１のうち最も光源１０に近い位置に配置され、最も口径が大きいことから、加工が容易でコスト的に有利な単レンズとなっている。
【００３４】
第２前側レンズ２１２は、両凸レンズ１０２及び両凹レンズ１０３を貼り合わせた接合レンズ（タブレットレンズ）となっている。このタブレットレンズ２１２は、単レンズ１０１において発生した球面収差を小さくする機能を有している。
【００３５】
第３前側レンズ２１３は、光源１０からの光の射出方向（図２の矢印）（光源１０から光が射出される側と反対の側）に凸となる光軸Ｌに対して光を収束させるメニスカスレンズ１０４及び両凹レンズ１０５を貼り合わせた接合レンズとなっている。この両凹レンズ１０５は、ズームレンズ２０の全長を短くする手段として、前側レンズ群２１に加えられている。
【００３６】
中間レンズ群２２は、光源１０から光が射出される側から順に、光軸Ｌに沿って移動可能な光軸Ｌに対して前側レンズ群２１により屈折された光を拡散させるように屈折させる第１中間レンズ群２２１と、第１中間レンズ群２２１から独立して光軸Ｌに沿って移動可能な光軸Ｌに対して第１中間レンズ群２２１により屈折された光を収束させるように屈折させる第２中間レンズ群２２２と、から構成されている。つまり、中間レンズ群２２は、ズームレンズ２０におけるズーム変倍部として機能している。
【００３７】
第１中間レンズ群２２１は、光源１０から光が射出される側に凸となる光軸Ｌに対して光を収束させるメニスカスレンズ１０６と、両凸レンズ１０７及び両凹レンズ１０８を貼り合わせた接合レンズ（タブレットレンズ）と、からなっている。
【００３８】
第２中間レンズ群２２２は、両凸レンズ１０９に光源１０からの光の射出方向に凸となる光軸Ｌに対して光を拡散させるメニスカスレンズ１１０を貼り合わせた接合レンズとなっている。
【００３９】
なお、第１中間レンズ群２２１を構成するレンズ１０６及びレンズ１０７，１０８の接合レンズは独立して光軸Ｌに沿って移動可能とされ、第２中間レンズ群２２２を構成するレンズ１０９，１１０の接合レンズも光軸Ｌに沿って移動可能とされる。つまり、移動単位としては、中間レンズ群２２は３つのレンズ群により構成される。
【００４０】
このように、ズーム変倍部としての中間レンズ群２２は、光源１０から光が射出される側から、光源１０から射出された光を光軸Ｌに対して収束させるメニスカスレンズ１０６、光源１０から射出された光を光軸Ｌに対して拡散させるタブレットレンズ（レンズ１０７，１０８の接合レンズ）、光源１０から射出された光を光軸Ｌに対して収束させる接合レンズ（レンズ１０９，１１０の接合レンズ）により構成されることとなる。
【００４１】
後側レンズ群２３は、両凹レンズ１１１及び両凸レンズ１１２を貼り合わせた接合レンズ、両凸レンズ１１３、及び光源１０から光が射出される側に凸となる光軸Ｌに対して光を収束させるメニスカスレンズ１１４、及び保護ガラス１１５により構成されている。
【００４２】
後側レンズ群２３において、最も光源１０に近い位置に配置された接合レンズ（レンズ１１１，１１２の接合レンズ）は、光源１０から射出された光を光軸Ｌに対して拡散させる機能を有している。これにより、中間レンズ群２２は、前側レンズ群２１から射出された光を光軸Ｌに対して収束させるように屈折させて、この屈折された光を後側レンズ群２３へと中継する役割を果たす。
【００４３】
光の光軸Ｌに対する収束の度合いを調整する場合、中間レンズ群２２の全レンズは、ほぼ一体的に光軸Ｌに沿う同一の方向へと移動される。中間レンズ群２２に含まれる全てのレンズは、収束調整手段４０（図１参照）により精度よく移動される。また、中間レンズ群２２の移動は、前側レンズ群２１の後側焦点の近傍で行われる。これにより、光の光軸Ｌに対する収束の度合いを調整する場合でも、光源１０から射出された光が後側レンズ２３の後側において光軸Ｌと平行となって両側テレセントリック性が維持される。
【００４４】
図３は、ズームレンズ２０により光源１０から射出された光を収束させた状態の照明装置２を示す模式図である。本図は、図１に対応した照明装置２の概略構成を示した図である。図３に示すように、照明装置２は、ズームレンズ２０を構成するレンズ群が光軸に沿って移動されて光源１０から射出された光が光軸Ｌに対して収束されている点、で上述の照明装置１と異なっている。その他の点は照明装置１と同様であるので、図１と同様の要素には同一の符号を付し、詳細な説明は省略する。
【００４５】
図３に示すように、照明装置２は、収束調整手段４０により光の光軸Ｌに対する収束の度合が調整されて、光源１０から射出された光が光軸Ｌに対して収束されている。具体的には、上述の照明装置１では、収束調整手段４０により光の光軸Ｌに対する収束の度合が調整されてなく、光源１０から射出された光がズームレンズ２０を通過する前後において、光の光軸Ｌに対する収束の幅はそれほど変化していない（第１のモード）。これに対して、照明装置２では、収束調整手段４０により光の光軸Ｌに対する収束の度合が調整され、光源１０から射出された光がズームレンズ２０を通過する前よりも通過した後において、光の光軸Ｌに対する収束の幅が小さくなっている（第２のモード）。
【００４６】
つまり、収束調整手段４０により、光源１０から射出され外側に斜めに広がった光を屈折させて光の直進性を向上させて、必要に応じて高コントラストを図ることが可能となっている。例えば、第１のモードは、ズームレンズ２０が設けられていない場合と等価であり、それほどコントラストが必要でないときに有効である。これに対して第２のモードは、コントラストを重視するときに有効である。
【００４７】
本実施形態の照明装置１によれば、光源１０から射出された光を、光軸Ｌに平行に、かつ、光軸Ｌに対して収束させるように屈折させるズームレンズ２０が設けられている。これにより、光源１０から射出された光が光軸側に屈折して光軸Ｌと平行な光として射出される。このように、光源１０からの光が光軸Ｌに平行に、光軸Ｌに対して収束されることにより、高コントラスト化を図ることが可能となる。また、従来遮光していた光を有効利用することで輝度の向上を図ることが可能となる。具体的には、コントラストが必要な映像モードではズームレンズ２０のズーム機能を用いて、光量確保とコントラスト向上を同時に実現できる。一方、コントラストが特に必要とされない映像モードでは、ズームレンズ２０は光源１０からの入射光を大きく作用せずにそのまま射出させることができる。また、本発明の照明装置１には、特許文献１のように光源からの光の一部を遮蔽して光路中の光量を絞る遮光装置が設けられていないので、輝度が低下してしまうことがない。したがって、光量の確保とコントラストの向上を同時に実現することが可能な照明装置１が提供できる。
【００４８】
また、この構成によれば、ズームレンズ２０を構成する前側レンズ群２１の後側焦点と後側レンズ群２３の前側焦点とが重なり、この位置に中間レンズ群２２が配置されるので、光源１０から射出された光軸Ｌから離れる方向に広がる光を、後側レンズ群２３の後側（光源１０からの光の射出側）において光軸Ｌと平行にすることができる。このように、光源１０からの光が光軸Ｌに平行に、光軸Ｌに対して収束されることにより、高コントラスト化を図ることが可能となる。また、中間レンズ群２２を構成する第１中間レンズ群２２１と第２中間レンズ群２２２とにより、光源１０から射出された光軸Ｌから離れる方向に広がる光を光軸側に屈折させることができる。このように、従来遮光していた光を有効利用することで輝度の向上を図ることが可能となる。したがって、光量の確保とコントラストの向上を同時に実現することが可能な照明装置１が提供できる。
【００４９】
また、この構成によれば、観察者は収束調整手段４０を用いて光源１０からの光を所望の収束の度合となるようにズームレンズ２０の位置を適宜変更できる。このように、光源１０からの光が光軸Ｌに平行に、観察者の所望の収束の度合に調整されることにより、所望のコントラストを得ることが可能となる。
【００５０】
また、この構成によれば、収束調整手段４０が電動モーターを有しているので、観察者が手動で操作する場合よりも容易に、所望の収束の度合となるように収束調整手段４０を操作することができる。
【００５１】
また、この構成によれば、一対のレンズアレイ３１，３２によって光源１０から射出された光の光軸Ｌに対して直交する面内における輝度分布が均一化される。したがって、輝度の低下を抑え、さらに輝度分布の均一化した、高コントラスト化を図ることが可能な照明装置１が提供できる。
【００５２】
（プロジェクター）
図４は本発明の照明装置１を備えたプロジェクター（投射型表示装置）１００の概略構成を示す模式図である。図４に示すように、プロジェクター１００は、上述の照明装置１と、照明装置１から射出された光を変調して画像を生成する画像表示素子５０と、画像表示素子５０により生成された画像をスクリーン（被投射面）Ｓに投射する投射レンズ（投射手段）６０と、を具備して構成されている。そして、プロジェクター１００は、画像表示素子５０により生成された画像を、投射レンズ６０を介してスクリーンＳ上に拡大投射するようになっている。
【００５３】
画像表示素子５０は、例えば、有機ＥＬ（Ｅｌｅｃｔｒｏ  Ｌｕｍｉｎｅｓｃｅｎｃｅ）ディスプレイ、無機ＥＬディスプレイや、液晶ディスプレイ（ＬＣＤ：Ｌｉｑｕｉｄ  Ｃｒｙｓｔａｌ  Ｄｉｓｐｌａｙ）などのディスプレイである。本実施形態の場合、画像表示素子５０は、透過型液晶パネルであり、照明装置１の光射出面側に設けられ、照明装置１から射出された光を変調して画像を生成する機能を有する。
【００５４】
投射レンズ６０は、画像表示素子５０の照明装置１の設けられた側と反対の側に配置され、画像表示素子５０により生成された画像をスクリーンＳに投射する機能を有する。画像表示素子５０により生成された画像は、投射レンズ６０を介してスクリーンＳ上に拡大投射される。
【００５５】
本実施形態のプロジェクター１００によれば、上記の照明装置１を備えているため、光量の確保とコントラストの向上を同時に実現することが可能なプロジェクター１００が提供できる。
【００５６】
なお、図５に示すように、上記の照明装置１と、照明装置１から射出された光を変調して画像を生成する画像生成手段１２０と、画像生成手段１２０により生成された画像をスクリーンＳに投射する投射レンズ６０と、を備えていてもよい。
【００５７】
図５は、上述のプロジェクター１００と異なる形態のプロジェクター２００の概略構成を示す模式図である。本図は図４に対応した、プロジェクター２００の概略構成を示した図である。図５に示すように、本実施形態のプロジェクター２００は、上述の画像表示素子５０に替えて、画像生成手段１２０が用いられている点、で上述のプロジェクター１００と異なっている。その他の点はプロジェクター１００と同様であるので、図４と同様の要素には同一の符号を付し、詳細な説明は省略する。
【００５８】
図５に示すように、本実施形態のプロジェクター２００は、上記の照明装置１と、照明装置１から射出された光を変調して画像を生成する画像生成手段１２０と、画像生成手段１２０により生成された画像をスクリーンＳに投射する投射レンズ６０と、を具備して構成されている。
【００５９】
本実施形態における画像生成手段１２０は、光源１０から射出される異なる色の色光についてそれぞれ色変調を行う複数の色変調用液晶ライトバルブ１２１Ｒ，１２１Ｇ，１２１Ｂと、各色変調用液晶ライトバルブ１２１Ｒ，１２１Ｇ，１２１Ｂにより変調された光を合成するダイクロイックプリズム１３７と、このダイクロイックプリズム１３７から射出される光についての輝度変調を行う輝度変調用ライトバルブ１２２と、を含む。
【００６０】
また、光源１０は、赤色光（以下「Ｒ光」と称す）と緑色光（以下「Ｇ光」と称す）と青色光（以下「Ｂ光」と称す）とを含む白色光を射出するものである。本実施形態に係るプロジェクター２００は、光源１０から射出された光を複数種の色光に分離する色分離手段１７０を備えている。そして、色分離手段１７０により分離された各々の色光（Ｒ光、Ｇ光、Ｂ光）は、上記各色変調用液晶ライトバルブ１２１Ｒ，１２１Ｇ，１２１Ｂに入射されるようになっている。すなわち、本実施形態に係るプロジェクター２００は、いわゆる三板方式のプロジェクターとされている。
【００６１】
色分離手段１７０は、高圧水銀ランプ１１ａから射出された光のうち、Ｒ光を反射させ、Ｇ光及びＢ光を透過させるＲ光反射ダイクロイックミラー１７１と、Ｇ光を反射させ、Ｂ光を透過させるＧ光反射ダイクロイックミラー１７２と、を備えている。
【００６２】
高圧水銀ランプ１１ａから射出された光のうちＲ光は、Ｒ光反射ダイクロイックミラー１７１において光路が９０度折り曲げられ、反射ミラー１７５に入射する。そして、Ｒ光は、反射ミラー１７５により光路が９０度折り曲げられ、Ｒ光用の上記色変調用液晶ライトバルブ１２１Ｒに入射される。色変調用液晶ライトバルブ１２１Ｒにおいて変調されたＲ光は、上記ダイクロイックプリズム１３７に入射される。
【００６３】
また、高圧水銀ランプ１１ａから射出された光のうちＧ光は、Ｒ光反射ダイクロイックミラー１７１を透過し、Ｇ光反射ダイクロイックミラー１７２において光路が９０度折り曲げられる。そして、Ｇ光はＧ光用の上記色変調用液晶ライトバルブ１２１Ｇに入射される。色変調用液晶ライトバルブ１２１Ｇにおいて変調されたＧ光は、上記ダイクロイックプリズム１３７に入射される。
【００６４】
また、高圧水銀ランプ１１ａから射出された光のうちＢ光は、Ｒ光反射ダイクロイックミラー１７１及びＧ光反射ダイクロイックミラー１７２を透過し、レンズ１７６を経由して反射ミラー１７７に入射する。反射ミラー１７７に入射したＢ光は、光路が９０度折り曲げられ、レンズ１７８を経由して反射ミラー１７９に入射する。反射ミラー１７９に入射した光は、光路が９０度折り曲げられ、Ｂ光用の上記色変調用液晶ライトバルブ１２１Ｂに入射される。色変調用液晶ライトバルブ１２１Ｂにおいて変調されたＢ光は、上記ダイクロイックプリズム１３７に入射される。
【００６５】
ダイクロイックプリズム１３７は、２つのダイクロイック膜１３７ａ，１３７ｂがＸ字型に直交して配置された構成となっている。ダイクロイック膜１３７ａは、Ｂ光を反射させ、Ｒ光、Ｇ光を透過させる。また、ダイクロイック膜１３７ｂは、Ｒ光を反射させ、Ｇ光、Ｂ光を透過させる。このように、ダイクロイックプリズム１３７は、上記各色変調用液晶ライトバルブ１２１Ｒ，１２１Ｇ，１２１Ｂのそれぞれにおいて変調されたＲ光、Ｇ光及びＢ光を合成する。そして、画像生成手段１２０により生成された画像は、投射レンズ６０を介してスクリーンＳ上に拡大投射される。
【００６６】
本実施形態のプロジェクター２００によれば、上述のプロジェクター１００と同様に照明装置１を備えているため、光量の確保とコントラストの向上を同時に実現することが可能なプロジェクター２００が提供できる。
【符号の説明】
【００６７】
１，２…照明装置、１０…光源、２０…ズームレンズ、２１…前側レンズ群、２２…中間レンズ群、２３…後側レンズ群、３１…第１レンズアレイ、３２…第２レンズアレイ、４０…収束調整手段、５０…画像表示素子、６０…投射レンズ（投射手段）、１００，２００…プロジェクター、２２１…第１中間レンズ群、２２２…第２中間レンズ群、Ｌ…光軸、Ｓ…スクリーン（被投射面）
【図１】
2010282813.tif 000003
【図２】
2010282813.tif 000004
【図３】
2010282813.tif 000005
【図４】
2010282813.tif 000006
【図５】
2010282813.tif 000007